(57)【要約】      （修正有）【課題】着用者に与える不快感をより軽減することが可能な衛生用マスクを提供する。【解決手段】マスク本体１が、鼻及び口を覆うように着用され、顔面との間に空洞を設け、マスク本体は通気性を有し、マスク本体を顔に着用した状態で正面から見たとき、帯状部分２Ａ，２Ｂが、マスク本体から左右の耳の各々に向かって延びており、帯状部分は、マスク本体の縦方向の最大寸法よりも小さな幅を有し、帯状部分の先端に耳掛け部３Ａ，３Ｂが設けられており、耳掛け部を耳に掛けることによって、マスク本体及び帯状部分を顔に保持することができる。【選択図】  図１
2004329737.tif 000002
【特許請求の範囲】
【請求項１】
鼻及び口を覆うように着用され、顔面との間に空洞を画定し、通気性を有するマスク本体と、
前記マスク本体を顔に着用した状態で正面から見たとき、該マスク本体から左右の耳の各々に向かって延び、該マスク本体の縦方向の最大寸法よりも小さな幅を有する帯状部分と、
前記帯状部分の先端に設けられ、耳に掛けることによって前記マスク本体及び帯状部分を顔に保持する耳掛け部と
を有する衛生用マスク。
【請求項２】
正面から見たとき、円周と、該円周の直径を短軸とし、長軸が短軸の１．５倍以下の楕円の外周との間の領域に、前記マスク本体の外周が位置する請求項１に記載の衛生用マスク。
【請求項３】
前記帯状部分の幅が１．５ｃｍ〜６ｃｍである請求項１または２に記載の衛生用マスク。
【請求項４】
顔面の凹凸に順応して塑性変形するワイヤが、前記マスク本体の外周に沿って取り付けられている請求項１〜３のいずれかに記載の衛生用マスク。
【請求項５】
さらに、
前記マスク本体の顔面側の面に沿って配置されたフィルタと、
保湿性を有する保湿部材と、
前記マスク本体の顔面側の面と、前記保湿部材とに設けられ、前記マスク本体と前記保湿部材との間に前記フィルタを挟んで、前記保湿部材を前記マスク本体に着脱可能に取り付ける着脱機構と
を有する衛生用マスク。
【発明の詳細な説明】
【０００１】
【発明の属する技術分野】
本発明は、着用時の不快感を軽減することができる衛生用マスクに関する。
【０００２】
【従来の技術】
特許文献１及び特許文献２に、着用時に口もとに空間を形成するマスクが開示されている。口や鼻から出た呼気が、顔とマスクとの間の空間に充満する。これらのマスクは、鼻と口を覆うとともに、頬の大部分をも覆っているため、呼気が頬に触れ、不快感を与える場合がある。
【０００３】
【特許文献１】
特開平８−１７３５６２号公報
【特許文献２】
特開２００２−２１００３０号公報
【０００４】
【発明が解決しようとする課題】
本発明の目的は、着用者に与える不快感をより軽減することが可能な衛生用マスクを提供することである。
【０００５】
【課題を解決するための手段】
本発明の一観点によると、鼻及び口を覆うように着用され、顔面との間に空洞を画定し、通気性を有するマスク本体と、前記マスク本体を顔に着用した状態で正面から見たとき、該マスク本体から左右の耳の各々に向かって延び、該マスク本体の縦方向の最大寸法よりも小さな幅を有する帯状部分と、前記帯状部分の先端に設けられ、耳に掛けることによって前記マスク本体及び帯状部分を顔に保持する耳掛け部とを有する衛生用マスクが提供される。
【０００６】
マスク本体と顔面との間に空洞が確保される。また、マスク本体から帯状部分が延び、この帯状部分が頬に触れる。帯状部分が触れている部位には、空洞内に充満した呼気が触れない。このため、着用時の不快感を軽減することができる。
【０００７】
【発明の実施の形態】
図１（Ａ）〜（Ｃ）に、それぞれ第１の実施例による衛生用マスクの正面図、側面図、及び平面図を示す。図２に、図１（Ａ）の一点鎖線Ｘ−Ｘにおける断面図を示す。第１の実施例による衛生用マスクは、マスク本体１、帯状部分２Ａ、２Ｂ、及び耳掛け部３Ａ、３Ｂにより構成されている。
【０００８】
マスクを着用したとき、マスク本体１が鼻及び口を覆う。図１（Ａ）に示すように、マスク本体１を顔に着用した状態で正面から見たとき、マスク本体１はほぼ円形の形状を有し、マスク本体１から左右の耳の各々に向かって、帯状部分２Ａ及び２Ｂが延びる。帯状部分２Ａ及び２Ｂの幅は、マスク本体１の縦方向の最大寸法よりも小さい。
【０００９】
帯状部分２Ａ及び２Ｂの先端に、それぞれ耳掛け部３Ａ及び３Ｂが取り付けられている。耳掛け部３Ａ及び３Ｂは、例えば輪ゴム等である。耳掛け部３Ａ及び３Ｂを耳に掛けることによって、マスク本体１及び帯状部分２Ａ、２Ｂが顔に保持される。
【００１０】
図１（Ｂ）、（Ｃ）及び図２に示すように、第１の実施例によるマスクを着用したとき、マスク本体１と顔面との間に空洞が形成されるように、マスク本体１はドーム状の形状にされている。マスク本体１は、通気性を有する部材、例えばガーゼ、不織布等で形成されており、普通に息をしてもマスク本体１が顔面に密着しない程度の形状保持性を有する。
【００１１】
図２に示すように、マスク本体１の外周に沿って、ワイヤ５が取り付けられている。ワイヤ５は、顔面の凹凸に順応して塑性変形する。このため、着用時に、マスク本体１の縁と顔面との間に隙間が形成されにくくなる。これにより、マスク本体１と顔面との間に確保された空洞の密閉性を高めることができる。
【００１２】
第１の実施例では、正面から見たときマスク本体１は、ほぼ円形である。このため、鼻と口、及びその近傍部分のみがマスク本体１で覆われる。頬のうち、鼻と口から遠い部位には、帯状部分２Ａ及び２Ｂが接触する。鼻及び口から出た呼気は、マスク本体１と顔面との間の空洞に充満し、帯状部分２Ａ及び２Ｂの方には漏れにくい。鼻と口から遠い部位に呼気が触れないため、着用時の不快感が軽減される。
【００１３】
マスク本体１を横方向に大きくしすぎると、頬のうち鼻及び口から遠い部位とマスク本体１との間に空洞が形成され、呼気が鼻及び口から遠い部位に触れてしまう。着用時の不快感軽減の十分な効果を得るために、マスク本体１を小さくすることが好ましい。例えば、正面から見たとき、円周と、その円周の直径を短軸とし、長軸が短軸の１．５倍以下の楕円の外周との間の領域に、マスク本体１の外周が位置するようにすることが好ましい。
【００１４】
帯状部分２Ａ及び２Ｂを太くすると、頬の広い領域に帯状部分２Ａ及び２Ｂが触れるため、着用感が悪くなる。着用時の不快感を軽減するために、帯状部分２Ａ及び２Ｂの幅を、６ｃｍ以下にすることが好ましい。帯状部分２Ａ及び２Ｂが細すぎると、帯状部分２Ａ及び２Ｂが触れている部位に、紐状の跡が残る場合がある。頬に跡が残らないようにするために、帯所部分２Ａ及び２Ｂの幅を１．５ｃｍ以上にすることが好ましい。
【００１５】
図３に、第２の実施例による衛生用マスクの断面図を示す。第２の実施例による衛生用マスクの正面図、側面図、及び平面図は、それぞれ図１（Ａ）〜（Ｃ）に示した第１の実施例による衛生用マスクの各図と同じである。
【００１６】
図３に示すように、第２の実施例では、マスク本体１の顔面側の面に沿って、フィルタ６が配置されている。フィルタ６は、粉塵等の吸引を防止する機能を有する。フィルタ６として、活性炭シート等を使用することができる。
【００１７】
マスク本体１の顔面側の面のほぼ中央にホックの受け金７が取り付けられている。保湿性を有する保湿部材９に、ホックの鉤８が取り付けられている。フィルタ６のほぼ中央に、切れ目等の貫通部が形成されており、この貫通部を通して、鉤８が受け金７に嵌合する。このようにして、フィルタ６及び保湿部材９が、マスク本体１に着脱可能に取り付けられる。保湿部材９は、例えばポリエステル等の網で形成された袋と、この袋の中に装填された綿やスポンジ等で構成される。
【００１８】
第２の実施例では、フィルタ６が装着されているため、粉塵等の吸引防止効果を高めることができる。また、保湿部材９を水で湿らせておくことにより、喉の乾燥防止効果を高めることができる。保湿部材９に、アロマオイル等の芳香剤をしみ込ませておくことにより、種々の香りを楽しむことができる。
【００１９】
第２の実施例では、マスク本体１を柄が付された通気性の良い布地で構成し、フィルタ６を一般的なマスクに用いられているガーゼ等で構成してもよい。フィルタ６が汚れた場合には、いつでも新鮮なフィルタに交換することができる。また、柄の異なるマスク本体１を複数準備しておくと、その日の気分や状況に応じて、最も適した柄のマスク本体を選択することができる。このように、種々の柄を楽しむことができる。
【００２０】
上記実施例では、保湿部材９をホックでマスク本体１に取り付けたが、その他の着脱機構、例えばボタンやマジックファスナー（登録商標）等を採用することも可能である。
【００２１】
以上実施例に沿って本発明を説明したが、本発明はこれらに制限されるものではない。例えば、種々の変更、改良、組み合わせ等が可能なことは当業者に自明であろう。
【００２２】
【発明の効果】
以上説明したように、本発明によれば、鼻、口及びその近傍をマスク本体で覆い、マスク本体と顔面との間に空洞が確保されるため、着用時の不快感を軽減することができる。
【図面の簡単な説明】
【図１】第１の実施例による衛生用マスクの正面図、側面図、及び平面図である。
【図２】第１の実施例による衛生用マスクの断面図である。
【図３】第２の実施例による衛生用マスクの断面図である。
【符号の説明】
１  マスク本体
２Ａ、２Ｂ  帯状部分
３Ａ、３Ｂ  耳掛け部
５  ワイヤ
６  フィルタ
７  受け金
８  鉤
９  保湿部材
【図１】
2004329737.tif 000003
【図２】
2004329737.tif 000004
【図３】
2004329737.tif 000005